(57)【要約】【課題】二次電池が高温である場合であっても、充電による電池劣化を抑制することができる充電制御装置等を提供する。【解決手段】二次電池（１１）の二次電池温度情報を取得する温度情報取得手段（１３１）と、二次電池（１１）の温度が高くなるほど二次電池（１１）に供給する充電電流値が少なくなるように、上記充電電流値を決定する充電電流決定手段（１３２）とを備える。【選択図】図１
2014131452.tif 000002
【特許請求の範囲】
【請求項１】
電子機器に内蔵された二次電池の温度を含む二次電池温度情報を取得する温度情報取得手段と、
上記温度情報取得手段が取得した上記二次電池温度情報に基づいて、上記二次電池の温度が高くなるほど、上記二次電池に供給する充電電流値が少なくなるように、上記充電電流値を決定する充電電流決定手段とを備えることを特徴とする充電制御装置。
【請求項２】
上記二次電池の電池容量を検知する電池容量検知部をさらに備え、
上記充電電流決定手段は、上記二次電池の温度が第１の所定値以上の場合、上記電池容量検知部によって検知される上記電池容量の増加率が第２の所定値以下となるように、上記充電電流値を決定することを特徴とする請求項１記載の充電制御装置。
【請求項３】
上記二次電池の温度と上記充電電流値との対応関係を示す二次電池温度−充電電流テーブルを記憶した記憶部をさらに備え、
上記二次電池温度−充電電流テーブルにおいて、上記二次電池の温度Ｔ１に対応する上記充電電流値は、上記二次電池の温度Ｔ２（＞Ｔ１）に対応する上記充電電流値以上となっており、
上記充電電流決定手段は、上記二次電池温度−充電電流テーブルを参照して、上記二次電池温度情報から上記充電電流値を決定することを特徴とする請求項１または２記載の充電制御装置。
【請求項４】
上記電子機器は携帯端末であるとともに、
請求項１から３のいずれか１項に記載の充電制御装置を備えていることを特徴とする携帯端末。
【請求項５】
請求項１から３のいずれか１項に記載の充電制御装置としてコンピュータを機能させるための充電制御プログラムであって、コンピュータを上記各手段として機能させるための充電制御プログラム。
【発明の詳細な説明】
【技術分野】
【０００１】
本発明は、充電制御装置、充電制御プログラムおよび携帯端末に関し、特に携帯端末等の電子機器に内蔵された二次電池の充電を制御する充電制御装置に関する。
【背景技術】
【０００２】
電子機器には、当該電子機器に内蔵された二次電池によって電力を供給されるものが存在する。特に、携帯端末など、ユーザに持ち運びされる電子機器には、二次電池が内蔵されることが多い。
【０００３】
ところが、このような電子機器の動作中、上記電子機器に内蔵された二次電池が高温となる場合がある。例えば、携帯端末では、情報処理を行う制御部が高温となることによって、その近傍に位置する二次電池も高温となる。
【０００４】
その他に、二次電池に対する充電および／または放電を行う充電制御装置から上記二次電池に供給される充電電流が、上記二次電池の温度を上昇させる場合がある。
【０００５】
このように、二次電池が高温となることは、上記二次電池において電池劣化が発生したり、あるいは上記二次電池が内蔵された電子機器に障害が発生したりする原因となる可能性がある。また、電子機器が通常に使用を想定される温度よりも高い温度である時間が長く持続することは、様々な問題を引き起こすために好ましいことではない。
【０００６】
そこで、従来、二次電池、電子機器、または充電制御装置の検知温度に基づいて、電子機器または充電制御装置の動作を制御する発明が開示されている。
【０００７】
例えば、特許文献１から３には、検知温度が所定値以上である場合に、二次電池への充電の停止、充電電圧値の低減、または装置において実行される処理動作の停止を行う技術が記載されている。
【０００８】
また、上記技術に関連して、特許文献４には、二次電池あるいは電子機器自体の温度をより正確に検知するため、２つの温度センサを備えた携帯電子機器が記載されている。
【先行技術文献】
【特許文献】
【０００９】
【特許文献１】特開平２    −２４６７３９号公報（１９９０年１０月  ２日公開）
【特許文献２】特開２００７−  ４３４２２号公報（２００７年  ２月１５日公開）
【特許文献３】特開２０１２−１１５０８０号公報（２０１２年  ６月１４日公開）
【特許文献４】特開２０１０−  ２５７５４号公報（２０１０年  ２月  ４日公開）
【発明の概要】
【発明が解決しようとする課題】
【００１０】
ところで、一般的な二次電池は、高温（例えば、４３℃以上）であるときに、大容量の充電電流（例えば、１Ｃ）で充電が行われた場合、電池容量が減少し、また、該二次電池の内部においてガスが発生して膨張するという特性を有する。そのため、一般的な二次電池は、高温である時に充放電を繰り返すと、電池劣化が早く進行する。
【００１１】
しかしながら、上述した特許文献１〜４は、二次電池の温度と充電電流との関係について、何ら開示していない。例えば、特許文献３に記載の技術では、二次電池の温度に応じて充電電圧を変更するのみであり、充電電流の制御を行わない。そのため、二次電池が高温であっても、大容量の充電電流が電池に供給される可能性がある。これにより、二次電池の充電時に、電池劣化が進行する結果となる。
【００１２】
本発明は、上記に鑑みてなされてものであり、その目的は、二次電池が高温である場合であっても、充電による電池劣化を抑制することができる充電制御装置等を提供することにある。
【課題を解決するための手段】
【００１３】
上記の課題を解決するために、本発明の一態様に係る充電制御装置は、電子機器に内蔵された二次電池の温度を含む二次電池温度情報を取得する温度情報取得手段と、上記温度情報取得手段が取得した上記二次電池温度情報に基づいて、上記二次電池の温度が高くなるほど、上記二次電池に供給する充電電流値が少なくなるように、上記充電電流値を決定する充電電流決定手段とを備えている。
【発明の効果】
【００１４】
本発明の一態様によれば、二次電池が高温である場合であっても、充電による電池劣化を抑制することができるという効果を奏する。
【図面の簡単な説明】
【００１５】
【図１】本発明の実施形態１に係る電子機器の構成を示すブロック図である。
【図２】図１に示す電子機器の充電制御装置によって実行される充電電流決定処理の流れを示すフローチャートである。
【図３】図１に示す電子機器の充電制御装置によって実行される充電電流決定処理において、二次電池温度情報決定工程の流れを示すフローチャートである。
【図４】二次電池温度−充電電流テーブルの具体例である。
【図５】二次電池温度と周辺デバイス温度との対応関係を示す温度相関テーブルの具体例である。
【発明を実施するための形態】
【００１６】
〔実施形態１〕
以下、本発明の一実施形態について、図１〜図５を用いて詳細に説明する。
【００１７】
〔電子機器１ａの構成〕
まず、図１を用いて、本実施形態に係る電子機器１ａの構成を説明する。図１は、電子機器１ａの構成を示すブロック図である。図１に示すように、電子機器１ａは、二次電池１１、周辺デバイス１２、充電制御装置１３、二次電池温度センサ１４、周辺デバイス温度センサ１５および記憶部１６を備えている。
【００１８】
二次電池１１は、蓄電池、充電式電池ともいい、おもに電子機器１ａに内蔵される。二次電池の例としては、リチウムイオンやリチウムポリマーを用いたものが挙げられる。周辺デバイス１２は、電子機器１ａに内蔵された二次電池１１の周辺に設けられており、二次電池１１の温度に変化を生じさせやすいデバイスである。このような周辺デバイスとしては、たとえばＣＰＵやＧＰＳセンサが挙げられる。
【００１９】
充電制御装置１３は、二次電池１１の充電を行う際、二次電池１１に供給される電流を制御する装置である。なお、充電制御装置１３の詳細な構成については後述する。二次電池温度センサ１４は、電子機器１０ａに内蔵された二次電池１１の温度を二次電池温度として検出するものである。二次電池温度センサ１４は、例えばサーミスタにより構成される。
【００２０】
周辺デバイス温度センサ１５は、周辺デバイス１２の温度を周辺デバイス温度情報として検出するものであり、たとえばサーミスタにより構成される。以下では、二次電池温度センサ１４によって検知される温度を二次電池温度αと呼び、周辺デバイス温度センサ１５によって検知される温度を周辺デバイス温度と呼ぶ。
【００２１】
記憶部１６は、温度相関テーブルおよび二次電池温度−充電電流テーブルを記憶している。温度相関テーブルは、二次電池１１の温度と周辺デバイス温度との対応関係を示すものである。また、二次電池温度−充電電流テーブルは、二次電池１１の温度と、二次電池１１に対して供給される充電電流Ｉとの対応関係を示すものである。以下に、図２および図３を参照して、温度相関テーブルおよび二次電池温度−充電電流テーブルの詳細を説明する。
【００２２】
〔温度相関テーブル〕
図２に、記憶部１６に記憶される温度相関テーブルの一例を示す。上記テーブルにおいて、右列は周辺デバイス温度であり、左列は、上記周辺デバイス温度に対応する二次電池温度βである。図２に示す温度相関テーブルは、二次電池温度が４３℃から５２℃である範囲における、二次電池温度βと周辺デバイス温度との対応関係を示している。
【００２３】
〔温度相関テーブルの補足：二次電池１１の温度と周辺デバイス温度との相関関係〕
周辺デバイス１２が動作するとき、周辺デバイス１２が備えた回路においてジュール熱が発生することによって、周辺デバイス１２の温度が上昇する。こうして、周辺デバイス１２の温度が上昇したとき、周辺デバイス１２からの熱放射量（輻射エネルギー）が増大することによって、この熱放射を受ける二次電池１１の温度が上昇することになる。同様に、二次電池１１の温度が上昇すると、これに従って、周辺デバイス１２の温度も上昇する。
【００２４】
このように、周辺デバイス１２および二次電池１１の一方が温度上昇することは、他方が温度上昇することを引き起こす。すなわち、二次電池温度センサ１４によって検知される二次電池１１の温度と、周辺デバイス温度センサ１５によって検知される特定デバイス温度とは相関している。
【００２５】
ここで、図２を参照すると、周辺デバイス温度が高くなるほど、二次電池１１の温度（二次電池温度β）も高くなっている。従って、図２に示す温度相関テーブルにおいて、周辺デバイス温度と二次電池１１の温度とが、上述した相関関係を有していることがわかる。
【００２６】
〔二次電池温度−充電電流テーブル〕
図３に、記憶部１６に記憶される二次電池温度−充電電流テーブルの一例を示す。充電制御装置１３は、二次電池温度−充電電流テーブルを参照して、二次電池１１がある二次電池温度Ｔである時に、該温度Ｔに対応する充電電流Ｉを二次電池１１に供給する。図３に示すように、充電制御装置１３は、二次電池温度Ｔがより高くなるほど、充電電流Ｉを絞ることによって、より小さな充電電流Ｉを二次電池１１に供給する。
【００２７】
〔充電制御装置１３〕
ここでは、図１を用いて、充電制御装置１３の構成を説明する。図１に示すように、充電制御装置１３は、温度情報取得部（温度情報取得手段）１３１、充電電流決定部（充電電流決定手段）１３２、および充電電流制御部１３３を含んでいる。
【００２８】
温度情報取得部１３１は、二次電池温度Ｔを含む二次電池温度情報を取得するものである。充電電流決定部１３２は、上記二次電池温度情報に基づいて、二次電池１１に供給される充電電流Ｉを決定するものである。充電電流制御部１３３は、充電電流決定部１３２によって決定された上記充電電流Ｉが二次電池１１に供給されるように制御するものである。
【００２９】
〔充電電流決定処理の流れ〕
以下では、図４を用いて、充電制御装置１３によって実行される充電電流決定処理の流れを説明する。図４は、充電電流決定処理の流れを示すフローチャートである。この充電電流決定処理では、二次電池１１の充電を行う際、充電制御装置１３が、二次電池１１に供給される充電電流Ｉを制御する。
【００３０】
充電電流決定処理では、まず、温度情報取得部１３１が、二次電池温度センサ１４から二次電池温度αを取得する（Ｓ１ａ）。また、温度情報取得部１３１は、周辺デバイス温度センサ１５から周辺デバイス温度を取得する（Ｓ１ｂ）。
【００３１】
続いて、温度情報取得部１３１は、記憶部１６から温度相関テーブルを取得して、上記温度相関テーブルに基づき、周辺デバイス温度から、二次電池温度βを算出する。温度情報取得部１３１は、二次電池温度αおよび二次電池温度βのいずれか一方を、二次電池温度情報に含まれる二次電池温度Ｔとして決定する。なお、二次電池温度Ｔの決定手法の詳細は後述する。
【００３２】
こうして、温度情報取得部１３１は、二次電池温度Ｔを含む二次電池温度情報を取得する（Ｓ２）。温度情報取得部１３１は、二次電池温度情報を充電電流決定部１３２に出力する。
【００３３】
充電電流決定部１３２は、温度情報取得部１３１より二次電池温度情報が入力されると、記憶部１６の二次電池温度−充電電流テーブルを参照する（Ｓ３）。これにより、充電電流決定部１３２は、所定の温度範囲（例えば４３℃以上）の任意の二次電池温度Ｔに対応する充電電流Ｉを取得する。
【００３４】
次に、充電電流決定部１３２は、二次電池温度−充電電流テーブルに基づき、二次電池温度情報に含まれる二次電池温度Ｔから充電電流Ｉを決定する（Ｓ４）。言い換えれば、充電電流決定部１３２は、二次電池温度−充電電流テーブルを参照することによって、二次電池温度Ｔに対応する充電電流Ｉを決定する。
【００３５】
充電電流決定部１３２は、充電電流Ｉを充電電流制御部１３３に出力する。充電電流Ｉの入力を受けた充電電流制御部１３３は、二次電池１１に供給される電流量が上記充電電流Ｉになるように、電子機器１ａを制御する（Ｓ５）。以上で、充電電流決定処理が終了する。
【００３６】
このように、充電電流決定処理によれば、充電制御装置１３は、二次電池１１の温度を示す二次電池温度Ｔを決定し、二次電池温度−充電電流テーブルに基づき、二次電池１１に供給される充電電流Ｉを制御する。そのため、二次電池１１が高温である場合、充電電流Ｉを減少させることによって、電池劣化を抑制することができる。これにより、二次電池１１の寿命（耐用年数）をより長くすることができる。
【００３７】
〔二次電池温度情報決定ステップＳ２の流れ〕
ここでは、図５を用いて、前述した充電電流決定処理における二次電池温度情報決定ステップＳ２の詳細を説明する。具体的には、二次電池温度情報決定ステップＳ２のサブステップを説明する。二次電池温度情報決定ステップＳ２は、温度情報取得部１３１によって実行される。
【００３８】
まず、温度情報取得部１３１は、二次電池温度センサ１４から二次電池温度αを取得する（Ｓ２０１ａ）。また、温度情報取得部１３１は、サブステップＳ２０１ａを実行することと並列して、以下のサブステップＳ２０１ｂ１〜Ｓ２０１ｂ３を実行する。
【００３９】
次に、温度情報取得部１３１は、周辺デバイス温度センサ１５から周辺デバイス温度を取得する（Ｓ２０１ｂ１）。その後、温度情報取得部１３１は、記憶部１６の温度相関テーブルを参照する（Ｓ２０１ｂ２）。これにより、温度情報取得部１３１は、所定の温度範囲（例えば０℃以上６０℃以下）の任意の周辺デバイス温度に対応する二次電池温度βを取得する。
【００４０】
温度情報取得部１３１は、温度相関テーブルに基づき、周辺デバイス温度から二次電池温度βを算出する（Ｓ２０１ｂ３）。言い換えれば、温度情報取得部１３１は、温度相関テーブルを参照することによって、周辺デバイス温度に対応する二次電池温度βを決定する。
【００４１】
その後、温度情報取得部１３１は、二次電池温度αが、二次電池１１において電池劣化が顕著に現れる所定温度以上であるか判定する（Ｓ２０２ａ）。ここで、上記所定温度は、例えば４３℃である。
【００４２】
二次電池温度αが、上記所定温度以上である場合（サブステップＳ２０４ａでＹＥＳ）、二次電池温度αを二次電池温度情報として決定する（Ｓ２０３Ａ）。一方、二次電池温度αが、上記所定温度より小さい場合（サブステップＳ２０２ａでＮＯ）、温度情報取得部１３１は、二次電池温度αと二次電池温度βとの差が適正範囲外であるか判定する（Ｓ２０２ｂ）。
【００４３】
二次電池温度αと二次電池温度βとの差が適正範囲外である場合（サブステップＳ２０２ｂでＹＥＳ）、温度情報取得部１３１は、二次電池温度βを二次電池温度情報として決定する（Ｓ２０３Ｂ）。ここで、上記適正範囲とは、二次電池温度センサ１４および周辺デバイス温度センサ１５の両者が正常である場合に、二次電池温度αと二次電池温度βとの間に（例えば、検知誤差によって）生じ得る差の範囲であってよい。
【００４４】
一方、二次電池温度αと二次電池温度βとの差が適正範囲内である場合（サブステップＳ２０２ｂでＮＯ）、温度情報取得部１３１は、二次電池温度αと二次電池温度βとのうち、より高い方を二次電池温度情報として決定する（Ｓ２０３Ｃ）。
【００４５】
以上のように、二次電池温度情報決定ステップＳ２によれば、温度情報取得部１３１は、上記温度相関テーブルに基づき、周辺デバイス温度センサ１５によって検知された周辺デバイス温度から、二次電池１１の温度（二次電池温度β）を算出することができる。言い換えれば、周辺デバイス温度センサ１５によって、二次電池の温度を間接的に検知することができる。
【００４６】
そのため、二次電池温度センサ１４が、二次電池１１の温度（二次電池温度α）を正確に検知することが不可能である場合であっても、周辺デバイス温度センサ１５によって、二次電池１１の温度（二次電池温度β）を間接的に検知することができる。つまり、二次電池温度センサ１４および周辺デバイス温度センサ１５の一方が不良状態となっても、正常な他方のセンサによって二次電池１１の温度を検知することができる。
【００４７】
また、二次電池温度情報決定ステップＳ２では、二次電池温度αと二次電池温度βとの差が適正範囲内である場合、温度情報取得部１３１は、二次電池温度αと二次電池温度βとのうち高い方を二次電池温度情報の二次電池温度Ｔとして決定する。
【００４８】
上記二次電池温度−充電電流テーブルに基づいて、二次電池温度Ｔから決定された充電電流Ｉが、二次電池１１に供給される。このとき、二次電池温度αと二次電池温度βとのうち高い方に対応する充電電流ＩＨは、低い方に対応する充電電流ＩＬよりも小さい。ゆえに、二次電池１１の実際の温度が、二次電池温度αと二次電池温度βとのうち低い方により近い場合、充電電流ＩＬよりも小さい充電電流ＩＨが、二次電池１１に供給されることになる。
【００４９】
そのため、二次電池１１の実際の温度が、二次電池温度αと二次電池温度βとのうちどちらにより近い場合であっても、二次電池１１の充電を行う際、二次電池１１の電池劣化を抑制することができる。
【００５０】
なお、本実施形態では、温度情報取得部１３１は、二次電池温度αと二次電池温度βとの差が適正範囲外である場合、二次電池温度βを二次電池温度情報（二次電池温度Ｔ）として決定するが、本発明はこれに限られない。
【００５１】
すなわち、温度情報取得部１３１は、二次電池温度αと二次電池温度βとの差が適正範囲外である場合、二次電池温度αを二次電池温度情報として決定してもよい。この構成の場合、温度情報取得部１３１は、まず、二次電池温度センサ１４および周辺デバイス温度センサ１５のうち、故障や不良が発生しにくいと考えられるセンサを選択する。そして、選択されたセンサに検知された温度に基づいて決定される二次電池温度αまたはβを、二次電池温度情報の二次電池温度Ｔとして決定する。
【００５２】
これにより、二次電池温度αと二次電池温度βとの差が適正範囲外である場合、正確な温度である可能性が高い二次電池温度αまたはβが、二次電池温度Ｔとして決定されることになる。
【００５３】
〔実施形態２〕
本発明の他の実施形態について、以下に説明する。なお、説明の便宜上、前記実施形態にて説明した部材と同じ機能を有する部材については、同じ符号を付記し、その説明を省略する。
【００５４】
本実施形態の電子機器１ｂにおいて、充電制御装置１３は、充電電流Ｉの制御を行うだけでなく、二次電池１１の温度に影響を与える周辺デバイス１２の温度が低下するように、周辺デバイス１２の回路を流れる電流量を減少させる制御も行う。例えば、周辺デバイス１２がＣＰＵを有している構成の場合、充電制御装置１３は、周辺デバイス１２の温度上昇を引き起こしているイベントを停止することによって、上記ＣＰＵのクロックを下げる。これにより、周辺デバイス１２の温度が低下することを期待できる。
【００５５】
このように、電子機器１ｂは、周辺デバイス１２の温度を低下させることによって、二次電池１１の温度が上昇することを抑制することができる。これにより、電子機器１ｂは、二次電池１１の劣化が進行する程度をより軽減することができる。
【００５６】
〔実施形態３〕
本発明の他の実施形態について、以下に説明する。なお、説明の便宜上、前記実施形態にて説明した部材と同じ機能を有する部材については、同じ符号を付記し、その説明を省略する。
【００５７】
一般的に、二次電池の容量がより大きいほど、充放電を繰り返したときに、電池劣化の程度もより大きい。そこで、本実施形態の電子機器１ｃは、二次電池１１の電池容量を検知する電池容量検知部（図示せず）をさらに備える。そして、電子機器１ｃの充電制御装置１３は、二次電池温度Ｔと、上記電池容量とに基づいて、充電電流Ｉを決定する。
【００５８】
上記充電電流決定手段は、二次電池１１の温度が第１の所定値以上の場合、上記電池容量検知部によって検知される上記電池容量の増加率が第２の所定値以下となるように、上記充電電流値を決定する。
【００５９】
例えば、第１の所定値が４６℃であり、第２の所定値が５％であるとする。また、二次電池１１の電池容量がｘＣ（クーロン）であるとする。このとき、二次電池温度Ｔが４３℃である場合、充電制御装置１３は、充電電流Ｉを１３００（ｍＡ）に設定する。一方、二次電池温度Ｔが５０℃である場合、充電制御装置１３は、上記電池容量の増加率が５％以下となるように、充電電流Ｉを５０ｘ（ｍＡ）以下に設定する。
【００６０】
特に、二次電池温度Ｔが所定値以上である場合、充電制御装置１３は、二次電池１１が満充電にならないように充電電流Ｉを制御してもよい。具体的には、上記二次電池の温度が所定値以上の場合、充電制御装置１３の充電電流決定部１３２は、上記電池容量検知部によって検知される上記電池容量の増加率が所定値以下となるように、上記充電電流Ｉを決定する。これにより、電子機器１ｃは、二次電池１１の容量が大きい場合であっても、充放電による二次電池１１の電池劣化の程度を抑制することができる。
【００６１】
〔ソフトウェアによる実現例〕
電子機器１ａ、１ｂ、１ｃの制御ブロック（特に充電電流算出部１３１および充電電流制御部１３２）は、集積回路（ＩＣチップ）等に形成された論理回路（ハードウェア）によって実現してもよいし、ＣＰＵ（Central Processing Unit）を用いてソフトウェアによって実現してもよい。
【００６２】
後者の場合、電子機器１ａ、１ｂ、１ｃは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６３】
〔まとめ〕
本発明の態様１に係る充電制御装置（１３）は、上記態様１において、電子機器（１）に内蔵された二次電池（１１）の温度を含む二次電池温度情報を取得する温度情報取得手段（１３１）と、上記温度情報取得手段（１３１）が取得した上記二次電池温度情報に基づいて、上記二次電池（１１）の温度が高くなるほど、上記二次電池（１１）に供給する充電電流値が少なくなるように、上記充電電流値を決定する充電電流決定手段（１３２）とを備えている。
【００６４】
上記の構成によれば、温度情報取得手段（温度情報取得部１３１）が取得した二次電池温度情報から、二次電池（１１）に供給される充電電流値が決定される。このとき、二次電池（１１）の温度が高いほど、上記充電電流値は少なくなる。
【００６５】
このように、二次電池（１１）の温度が高い場合、二次電池（１１）への充電電流値が低減される。これにより、高温な状態にある二次電池（１１）が、大容量の電流で充電されることを防止することができる。従って、充電を原因として生じる二次電池（１１）の劣化の進行を軽減することができる。また、高温な二次電池（１１）が、充電電流によってさらに高温となることを抑制することができる。従って、二次電池（１１）を備えた電子機器（１ａ、１ｂ、１ｃ）において、障害が発生する可能性を抑制することができる。
【００６６】
本発明の態様２に係る充電制御装置（１３）は、上記態様１において、上記二次電池の電池容量を検知する電池容量検知部をさらに備え、上記充電電流決定手段（１３２）は、上記二次電池（１１）の温度が第１の所定値以上の場合、上記電池容量検知部によって検知される上記電池容量の増加率が第２の所定値以下となるように、上記充電電流値を決定する構成であってもよい。
【００６７】
上記の構成によれば、二次電池（１１）の温度が第１の所定値以上（例えば、５０℃以上）である場合、二次電池（１１）の電池容量の増加率が第２の所定値以下となるような充電電流Ｉが、二次電池（１１）に供給される。
【００６８】
これにより、高温の二次電池（１１）が満充電の状態となることを抑制することができる。そのため、二次電池（１１）における電池劣化の進行を抑制することができる。
【００６９】
本発明の態様３に係る充電制御装置（１３）は、上記態様１または２において、上記二次電池の温度と上記充電電流値との対応関係を示す二次電池温度−充電電流テーブルを記憶した記憶部（１６）をさらに備え、上記二次電池温度−充電電流テーブルにおいて、上記二次電池（１１）の温度Ｔ１に対応する上記充電電流値は、上記二次電池（１１）の温度Ｔ２（＞Ｔ１）に対応する上記充電電流値以上となっており、上記充電電流決定手段（１３２）は、上記二次電池温度−充電電流テーブルを参照して、上記二次電池温度情報から上記充電電流値を決定する構成であってもよい。
【００７０】
上記の構成によれば、充電電流決定手段（１３２）は、二次電池温度−充電電流テーブルを参照して、二次電池温度情報に含まれる二次電池温度Ｔに対応する充電電流Ｉを決定する。ここで、二次電池温度−充電電流テーブルには、二次電池温度Ｔが高くなるほど、該二次電池温度Ｔに対応する充電電流Ｉが小さくなるような対応関係が記載されている。
【００７１】
すなわち、二次電池（１１）の温度が高いほど、二次電池（１１）への充電電流Ｉは小さくなる。これにより、高温な状態にある二次電池（１１）が、大容量の電流で充電されることを防止することができる。従って、充電を原因として生じる二次電池（１１）の劣化の進行を低減することができる。
【００７２】
本発明の態様４に係る電子機器（１）は、携帯端末であるとともに、上記態様１から３のいずれかの充電制御装置（１３）を備えている。
【００７３】
上記の構成によれば、電子機器（１）は、態様１から３のいずれかの構成を備えた充電制御装置（１３）装置を備えている。そのため、電子機器（１）は、これらの充電制御装置（１３）と同様の効果を奏することができる。
【００７４】
特に、電子機器（１）は、二次電池（１１）を備えた携帯端末である。ところで、充電制御装置（１３）は、高温な二次電池（１１）が、充電電流によってさらに高温となることを抑制することができる。従って、人体と接触する機会の多い携帯端末の温度が高温となることを抑制することができる。
【００７５】
本発明の各態様に係る充電制御装置（１３）は、コンピュータによって実現してもよく、この場合には、コンピュータを充電制御装置（１３）が備える各手段として動作させることにより充電制御装置（１３）をコンピュータにて実現させる電子機器の充電制御プログラム、およびそれを記録したコンピュータ読み取り可能な記録媒体も、本発明の範疇に入る。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７７】
本発明は、電子機器に内蔵された二次電池の充電を制御する充電制御装置に利用することができる。
【符号の説明】
【００７８】
１  電子機器
１１  二次電池
１３  充電制御装置
１６  記憶部
１３１  温度情報取得部（温度情報取得手段）
１３２  充電電流決定部（充電電流決定手段）
【図１】
2014131452.tif 000003
【図２】
2014131452.tif 000004
【図３】
2014131452.tif 000005
【図４】
2014131452.tif 000006
【図５】
2014131452.tif 000007